(57)【要約】【課題】種々の導光手段に共通に用いることのできる照射装置を提供すること。【解決手段】照射装置１は、本体２と、本体２の下端部に固定された拡散カバー部材４と、を備え、本体２の上壁２１及び左壁２２には開口部２１ａ及び２２ａがそれぞれ形成されている。本体２の内部には、反射板６が開口部２２ａに向かって登り傾斜すると共に、その反射面６ａが開口部２２ａ及び拡散カバー部材４の各々に対して斜めに対向するように取り付け可能とされている。導光手段からの光は、開口部２１ａ及び２２ａの何れかを介して導入され、開口部２１ａを介して導入される場合には反射板６が取り外される。一方、開口部２２ａを介して導入される場合には、反射板６が取り付けられ、導光手段からの光は反射板６により反射され、拡散カバー部材４を通して拡散照射される。【選択図】図２
2014049217.tif 000002
【特許請求の範囲】
【請求項１】
太陽からの光を導入するための採光手段と前記採光手段からの光をその内面で反射させながら所定方向へと導く筒状の導光手段とを備える採光装置において用いられる照射装置であって、
下端部に第１開口部が形成された中空の箱状部材からなる本体と、前記本体の前記第１開口部に固定された拡散カバー部材と、を備え、
前記本体は、前記第１開口部に対向する上壁と、前記上壁に接続された第１側壁と、前記第１側壁に対向すると共に前記上壁に接続された第２側壁とを有し、前記上壁には第２開口部が形成され、前記第１側壁には第３開口部が形成され、
前記本体の内部には、第１反射面を有する反射板を支持するための第１及び第２支持手段が設けられ、前記第１及び第２支持手段は、前記反射板が前記第３開口部に向かって登り傾斜すると共に、前記第１反射面が前記第３開口部及び前記拡散カバー部材の各々に対して斜めに対向するように前記反射板を支持するものであり、
前記導光手段からの光は前記第２開口部及び第３開口部の何れかを介して前記本体の内部に導入され、
前記第２開口部を介して導入された前記導光手段からの光は、前記第２開口部を介して前記本体の内部に導入された後に前記拡散カバー部材を通して拡散照射され、
前記第３開口部を介して導入された前記導光手段からの光は、前記第３開口部を介して前記本体の内部に導入された後に、前記第１及び第２支持手段により支持された前記反射板の前記第１反射面により前記拡散カバー部材に向かって反射され、前記拡散カバー部材を通して拡散照射されることを特徴とする照射装置。
【請求項２】
前記第１及び第２支持手段は、前記反射板を着脱可能に支持するものであり、前記導光手段からの光を前記第２開口部を介して導入する場合には、前記第１及び第２支持手段から前記反射板が取り外され、前記導光手段からの光を前記第３開口部を介して導入する場合には、前記第１及び第２支持手段により前記反射板が支持されることを特徴とする請求項１に記載の照射装置。
【請求項３】
前記反射板は、各々が前記第１反射面を有する複数の平板部材から構成され、前記第１及び第２支持手段は、前記複数の平板部材を相互にスライド移動可能に支持することを特徴とする請求項１に記載の照射装置。
【請求項４】
前記上壁には、前記第２開口部の周縁部から上方に突出する第１連結部が形成され、前記第１連結部の内周面にはプレート部材が密着して取り付けられていることを特徴とする請求項１〜３の何れかに記載の照射装置。
【請求項５】
前記導光手段からの光を前記第２開口部を介して導入する場合には、前記導光手段が前記第１連結部に連結されることを特徴とする請求項４に記載の照射装置。
【請求項６】
前記本体に装着されるアタッチメントを更に備え、前記アタッチメントの下端には第４開口部が形成され、その上端には前記第４開口部よりも小径の第５開口部が形成され、前記導光手段からの光を前記第２開口部を介して導入する場合には、前記アタッチメントの前記第４開口部は前記第１連結部に連結されて前記本体に装着され、前記導光手段からの光は、前記アタッチメントの前記第５開口部と前記第４開口部、及び前記本体の前記第２開口部を介して導入されることを特徴とする請求項４に記載の照射装置。
【請求項７】
前記第１側壁の外面に着脱可能に固定される連結部材を更に備え、前記連結部材には前記第３開口部に対応する第６開口部が形成されると共に、前記第６開口部の周縁部には外方に突出する第２連結部が形成され、前記導光手段からの光を前記第３開口部を介して導入する場合には、前記連結部材は前記第３開口部と前記第６開口部とが連通するように前記第１側壁の外面に固定され、前記導光手段は前記第２連結部に連結されることを特徴とする請求項１〜６のいずれかに記載の照射装置。
【請求項８】
前記第１側壁の内面に着脱可能に固定される調整部材を更に備え、前記調整部材には長円形状の第７開口部が形成され、前記導光手段からの光を前記第３開口部を介して導入する場合には、前記調整部材は前記第３開口部と前記第７開口部とが連通するように前記第１側壁の内面に固定され、前記導光手段は前記第７開口部に連結されることを特徴とする請求項１〜６のいずれかに記載の照射装置。
【請求項９】
前記拡散カバー部材は、平板状の導光板と、前記導光板の端面に対向して設けられた照明手段とを備え、前記照明手段は複数のＬＥＤを有し、前記ＬＥＤから照射された光は、前記導光板の前記端面から前記導光板の内部に導入され、前記導光板に形成された多数の溝部により反射されて前記導光板の下面から出射されることを特徴とする請求項１〜８の何れかに記載の照射装置。
【請求項１０】
一対の照明手段を更に備え、前記一対の照明手段の各々は、前記第１側壁及び前記第２側壁の内側面であって、前記第３開口部よりも下方位置に固定された取付部と、前記取付部の下面に固着された複数のＬＥＤと、を備え、前記取付部の前記下面は、前記拡散カバー部材に対して斜めに対向する傾斜面とされていることを特徴とする請求項１〜８の何れかに記載の照射装置。
【請求項１１】
太陽からの光を導入するための採光手段と、前記採光手段からの光をその内面で反射させながら所定方向へと導く筒状の導光手段と、前記導光手段により導かれた光を屋内に照射する照射手段とを備え、前記照射手段は請求項１〜１０の何れかに記載の照射装置から構成されることを特徴とする採光装置。
【請求項１２】
前記導光手段は、一端が前記採光手段に接続される筒状の筒状部材と、実質上水平方向に配設されて前記筒状部材の他端及び前記照射手段の前記第３開口部に連結される略四角筒状の接続部材とを備え、
前記接続部材には、前記筒状部材の他端が連結される連結開口部が形成され、前記連結開口部の下方には前記第３開口部に向けて下り傾斜すると共に前記連結開口部に対して斜めに対向する第２反射面が設けられていることを特徴とする請求項１１に記載の採光装置。
【請求項１３】
光量調整手段を更に備え、前記導光手段は一対の筒状部を備え、前記光量調整手段は、円筒状の本体部材と、前記本体部材の内部に配置された円盤状の遮蔽部材と、前記遮蔽部材に固定された旋回軸とを備え、前記本体部材は前記一対の筒状部の間に接続され、
前記旋回軸は前記遮蔽部材の径方向に延びると共に、前記本体部材を挿通して外部へ延出し、前記遮蔽部材は前記旋回軸を中心に、前記本体部材の軸方向に沿って延びる開放状態と、前記本体部材の軸方向に対して垂直に延びる遮蔽状態と、の間で旋回可能であることを特徴とする請求項１１に記載の採光装置。
【請求項１４】
照明装置を更に備え、前記導光手段は、一端が前記採光手段に接続される筒状の筒状部材を備え、前記照明装置は、前記筒状部材をその径方向に内側から外側へ貫通して延びるねじ部材と、前記ねじ部材の一端に装着されたソケットと、前記ソケットのソケット部に螺合装着される電球とを備え、前記ソケットは前記筒状部材の内部に位置することを特徴とする請求項１１に記載の採光装置。
【請求項１５】
太陽からの光を導入するための採光手段と、前記採光手段からの光をその内面で反射させながら所定方向へと導く筒状の導光手段と、前記導光手段により導かれた光を屋内に照射する照射手段と、を備える採光装置において用いられる光量調整装置であって、
円筒状の本体部材と、前記本体部材の内部に配置された円盤状の遮蔽部材と、一端部が前記遮蔽部材に固定された旋回軸とを備え、前記本体部材は前記導光手段が備える一対の筒状部の間に装着され、
前記旋回軸は前記遮蔽部材の径方向に延びると共に、前記旋回軸の他端部は前記本体部材を挿通して外部へ延出し、前記遮蔽部材は前記旋回軸を中心に、前記本体部材の軸方向に沿って延びる開放状態と、前記本体部材の軸方向に対して垂直に延びる遮蔽状態と、の間を旋回可能であって、前記遮蔽状態と前記開放状態との間で旋回することにより前記遮蔽部材は前記照射手段へ導かれる太陽からの光の量を調整することを特徴とする光量調整装置。
【請求項１６】
棒状部材と、一端が前記旋回軸の他端部に固定され他端が前記棒状部材の一端部に固定されたバネ部材と、を更に備え、前記棒状部材をその軸方向を中心に回転させると、前記棒状部材の回転は前記バネ部材を介して前記旋回軸へ伝達されることを特徴とする請求項１５に記載の光量調整装置。
【請求項１７】
前記本体部材には、前記本体部材の内面から径方向内側に突出する第１規制部材と第２規制部材とが形成され、前記第１規制部材は前記遮蔽部材が前記遮蔽状態を超えて前記所定方向へ旋回するのを規制し、前記第２規制部材は前記遮蔽部材が前記遮蔽部材が前記開放状態を超えて前記所定方向とは反対の方向へ旋回するのを規制することを特徴とする請求項１５又は１６に記載の光量調整装置。
【請求項１８】
太陽からの光を導入するための採光手段と、前記採光手段からの光をその内面で反射させながら所定方向へと導く筒状の導光手段と、前記導光手段により導かれた光を屋内に照射する照射手段と、を備える採光装置において用いられる照明装置であって、
外周面にねじ山が形成された円筒状のねじ部材と、前記ねじ部材の一端に装着されたソケットと、を備え、前記ソケットは電球が螺合装着されるソケット部を有し、
前記ねじ部材は、前記導光手段が備える筒状部材に設けられた貫通孔を挿通して前記筒状部材の外側から内側へ延びると共に、前記ソケットが前記筒状部材の内側に位置するように前記筒状部材に支持され、
前記ソケット部に螺合装着された前記電球からの光は、前記導光手段により前記所定方向とは逆の方向に導かれ、前記採光手段を介して外部へ照射されることを特徴とする照明装置。
【請求項１９】
前記ソケットに接続されたリード線は前記ねじ部材の内部を通して前記ねじ部材の他端から外部へ延びることを特徴とする請求項１８に記載の照明装置。
【請求項２０】
前記ソケット部は前記ソケットの両端部に形成されて一対の電球を互いに逆向きに装着し、前記一対の電球の並び方向は前記導光手段の軸方向に沿う方向であることを特徴とする請求項１８又は１９に記載の照明装置。
【請求項２１】
太陽からの光を導入するための採光手段と、前記採光手段からの光をその内面で反射させながら所定方向へと導く筒状の導光手段と、を備えた採光装置において用いられる照射手段としての照射部材であって、
平板状の導光板と、前記導光板の端面に対向して設けられた照明手段とを備え、前記照明手段は複数のＬＥＤを有し、前記ＬＥＤから照射された光は、前記導光板の前記端面から前記導光板の内部に導入され、前記導光板に形成された多数の溝部により反射されて前記導光板の下面から出射され、前記導光手段により導かれた太陽からの光は、前記導光板の上面から入射して前記導光板の下面から出射されることを特徴とする照射部材。
【請求項２２】
積層部材を更に有し、前記積層部材は、前記導光板と、前記導光板の上面に積層された反射板と、前記導光板の下面に積層された拡散板と、を備え、前記反射板の中央領域には開口部が形成され、前記開口部に透光性の保護板がはめ込まれていることを特徴とする請求項２１に記載の照射部材。
【発明の詳細な説明】
【技術分野】
【０００１】
本発明は、太陽からの光を屋内へ導入して屋内を照明するための採光装置、採光装置で用いられる照射装置、光量調整装置、照明装置に関する。
【背景技術】
【０００２】
近年、太陽からの光を屋内へ導入して屋内を照明するための採光装置が実用に供されている。この採光装置は、建物の屋根に設けられて太陽からの光を導入するための採光手段と、この採光手段からの光をその内面で反射させながら所定方向へ導く筒状の導光手段と、導光手段により導かれた光を屋内に照射する照射手段と、を備えている（例えば、特許文献１参照）。導光手段の一端部は、屋根に設けられた開口を通して採光手段に連結され、その他端部は照射手段に連結される。また、照射手段は屋内の天井に取り付けられ、導光手段の他端部が連結された拡大筒状体と、拡大筒状体に取り付けられた拡散カバー部材とから構成されている。
【０００３】
また、自在に屈曲する屈曲筒状部材を備えた導光手段も提案されている（例えば、特許文献２参照）。この屈曲筒状部材は、外側開口端が軸線に対して約６０度の角度で傾斜する筒状体を複数個有し、この筒状体を相互に回動させることにより導光手段全体を任意の角度に自在に屈曲させることができる。このように自在に屈曲する導光手段を利用することにより、階床下空間を利用して導光手段を配設することが提案されている。
【０００４】
更に、遮蔽部材を開閉制御することによって、室内へ照射される光の量を調整可能に構成された採光装置も提案されている。
【先行技術文献】
【特許文献】
【０００５】
【特許文献１】特許第４４４５８８１号
【特許文献２】特開２０１０−６７５０６号公報
【発明の概要】
【発明が解決しようとする課題】
【０００６】
しかしながら、一般の家屋における階床下空間の高さは限られているため（通常は４５０ｍｍ〜５５０ｍｍ）、従来の屈曲筒状部材を用いて導光手段を階床下空間内で屈曲させるには階床下空間の高さが足りない場合があった。
【０００７】
また、従来より、種々の径を有する導光手段が実用に供されており、導光手段の異なる径毎に専用の照射手段が用いられ、部品の製造及び管理が煩雑であった。
【０００８】
更に、従来の遮蔽部材は、電動モータを備えた制御装置により開閉制御されることから、採光装置に光量調整機能を付加すると、装置全体の製造コストが高くなり、安価な構成でもって光量調整可能な採光装置に対する要望が存在していた。
【０００９】
更に、太陽からの光で屋内を照射するだけでなく、屋外の照明にも利用できる採光装置に対する要望もあった。
【００１０】
本発明の目的は、階床下空間等の高さが限られた空間にも容易に配設できる導光手段を有する採光装置を提供することである。
【００１１】
また、本発明の他の目的は、種々の導光手段に共通に用いることのできる照射装置を提供することである。
【００１２】
更に、本発明の他の目的は、採光装置において用いられ、簡単な構成でもって光量調整可能な光量調整装置、採光装置において用いられる照明装置、及び採光装置において用いられる照射部材を提供することである。
【課題を解決するための手段】
【００１３】
本発明の請求項１に記載の照射装置は、太陽からの光を導入するための採光手段と前記採光手段からの光をその内面で反射させながら所定方向へと導く筒状の導光手段とを備える採光装置において用いられる照射装置であって、下端部に第１開口部が形成された中空の箱状部材からなる本体と、前記本体の前記第１開口部に固定された拡散カバー部材と、を備え、
前記本体は、前記第１開口部に対向する上壁と、前記上壁に接続された第１側壁と、前記第１側壁に対向すると共に前記上壁に接続された第２側壁とを有し、前記上壁には第２開口部が形成され、前記第１側壁には第３開口部が形成され、
前記本体の内部には、第１反射面を有する反射板を支持するための第１及び第２支持手段が設けられ、前記第１及び第２支持手段は、前記反射板が前記第３開口部に向かって登り傾斜すると共に、前記第１反射面が前記第３開口部及び前記拡散カバー部材の各々に対して斜めに対向するように前記反射板を支持するものであり、
前記導光手段からの光は前記第２開口部及び第３開口部の何れかを介して前記本体の内部に導入され、前記第２開口部を介して導入された前記導光手段からの光は、前記第２開口部を介して前記本体の内部に導入された後に前記拡散カバー部材を通して拡散照射され、  前記第３開口部を介して導入された前記導光手段からの光は、前記第３開口部を介して前記本体の内部に導入された後に、前記第１及び第２支持手段により支持された前記反射板の前記第１反射面により前記拡散カバー部材に向かって反射され、前記拡散カバー部材を通して拡散照射されることを特徴とする。
【００１４】
本発明の請求項２に記載の照射装置は、前記第１及び第２支持手段は、前記反射板を着脱可能に支持するものであり、前記導光手段からの光を前記第２開口部を介して導入する場合には、前記第１及び第２支持手段から前記反射板が取り外され、前記導光手段からの光を前記第３開口部を介して導入する場合には、前記第１及び第２支持手段により前記反射板が支持されることを特徴とする。
【００１５】
本発明の請求項３に記載の照射装置は、前記反射板は、各々が前記第１反射面を有する複数の平板部材から構成され、前記第１及び第２支持手段は、前記複数の平板部材を相互にスライド移動可能に支持することを特徴とする。
【００１６】
本発明の請求項４に記載の照射装置は、前記上壁には、前記第２開口部の周縁部から上方に突出する第１連結部が形成され、前記第１連結部の内周面にはプレート部材が密着して取り付けられていることを特徴とする。
【００１７】
本発明の請求項５に記載の照射装置は、前記導光手段からの光を前記第２開口部を介して導入する場合には、前記導光手段が前記第１連結部に連結されることを特徴とする。
【００１８】
本発明の請求項６に記載の照射装置は、前記本体に装着されるアタッチメントを更に備え、前記アタッチメントの下端には第４開口部が形成され、その上端には前記第４開口部よりも小径の第５開口部が形成され、前記導光手段からの光を前記第２開口部を介して導入する場合には、前記アタッチメントの前記第４開口部は前記第１連結部に連結されて前記本体に装着され、前記導光手段からの光は、前記アタッチメントの前記第５開口部と前記第４開口部、及び前記本体の前記第２開口部を介して導入されることを特徴とする。
【００１９】
本発明の請求項７に記載の照射装置は、前記第１側壁の外面に着脱可能に固定される連結部材を更に備え、前記連結部材には前記第３開口部に対応する第６開口部が形成されると共に、前記第６開口部の周縁部には外方に突出する第２連結部が形成され、前記導光手段からの光を前記第３開口部を介して導入する場合には、前記連結部材は前記第３開口部と前記第６開口部とが連通するように前記第１側壁の外面に固定され、前記導光手段は前記第２連結部に連結されることを特徴とする。
【００２０】
本発明の請求項８に記載の照射装置は、前記第１側壁の内面に着脱可能に固定される調整部材を更に備え、前記調整部材には長円形状の第７開口部が形成され、前記導光手段からの光を前記第３開口部を介して導入する場合には、前記調整部材は前記第３開口部と前記第７開口部とが連通するように前記第１側壁の内面に固定され、前記導光手段は前記第７開口部に連結されることを特徴とする。
【００２１】
本発明の請求項９に記載の照射装置は、前記拡散カバー部材は、平板状の導光板と、前記導光板の端面に対向して設けられた照明手段とを備え、前記照明手段は複数のＬＥＤを有し、前記ＬＥＤから照射された光は、前記導光板の前記端面から前記導光板の内部に導入され、前記導光板に形成された多数の溝部により反射されて前記導光板の下面から出射されることを特徴とする。
【００２２】
本発明の請求項１０に記載の照射装置は、一対の照明手段を更に備え、前記一対の照明手段の各々は、前記第１側壁及び前記第２側壁の内側面であって、前記第３開口部よりも下方位置に固定された取付部と、前記取付部の下面に固着された複数のＬＥＤと、を備え、前記取付部の前記下面は、前記拡散カバー部材に対して斜めに対向する傾斜面とされていることを特徴とする。
【００２３】
本発明の請求項１１に記載の採光装置は、太陽からの光を導入するための採光手段と、前記採光手段からの光をその内面で反射させながら所定方向へと導く筒状の導光手段と、前記導光手段により導かれた光を屋内に照射する照射手段とを備え、前記照射手段は請求項１〜１０の何れかに記載の照射装置から構成されることを特徴とする。
【００２４】
本発明の請求項１２に記載の採光装置は、前記導光手段は、一端が前記採光手段に接続される筒状の筒状部材と、実質上水平方向に配設されて前記筒状部材の他端及び前記照射手段の前記第３開口部に連結される略四角筒状の接続部材とを備え、
前記接続部材には、前記筒状部材の他端が連結される連結開口部が形成され、前記連結開口部の下方には前記第３開口部に向けて下り傾斜すると共に前記連結開口部に対して斜めに対向する第２反射面が設けられていることを特徴とする。
【００２５】
本発明の請求項１３に記載の採光装置は、光量調整手段を更に備え、前記導光手段は一対の筒状部を備え、前記光量調整手段は、円筒状の本体部材と、前記本体部材の内部に配置された円盤状の遮蔽部材と、前記遮蔽部材に固定された旋回軸とを備え、前記本体部材は前記一対の筒状部の間に接続され、
前記旋回軸は前記遮蔽部材の径方向に延びると共に、前記本体部材を挿通して外部へ延出し、前記遮蔽部材は前記旋回軸を中心に、前記本体部材の軸方向に沿って延びる開放状態と、前記本体部材の軸方向に対して垂直に延びる遮蔽状態と、の間で旋回可能であることを特徴とする。
【００２６】
本発明の請求項１４に記載の採光装置は、照明装置を更に備え、前記導光手段は、一端が前記採光手段に接続される筒状の筒状部材を備え、前記照明装置は、前記筒状部材をその径方向に内側から外側へ貫通して延びるねじ部材と、前記ねじ部材の一端に装着されたソケットと、前記ソケットのソケット部に螺合装着される電球とを備え、前記ソケットは前記筒状部材の内部に位置することを特徴とする。
【００２７】
本発明の請求項１５に記載の光量調整装置は、太陽からの光を導入するための採光手段と、前記採光手段からの光をその内面で反射させながら所定方向へと導く筒状の導光手段と、前記導光手段により導かれた光を屋内に照射する照射手段と、を備える採光装置において用いられる光量調整装置であって、円筒状の本体部材と、前記本体部材の内部に配置された円盤状の遮蔽部材と、一端部が前記遮蔽部材に固定された旋回軸とを備え、前記本体部材は前記導光手段が備える一対の筒状部の間に装着され、
前記旋回軸は前記遮蔽部材の径方向に延びると共に、前記旋回軸の他端部は前記本体部材を挿通して外部へ延出し、前記遮蔽部材は前記旋回軸を中心に、前記本体部材の軸方向に沿って延びる開放状態と、前記本体部材の軸方向に対して垂直に延びる遮蔽状態と、の間を旋回可能であって、前記遮蔽状態と前記開放状態との間で旋回することにより前記遮蔽部材は前記照射手段へ導かれる太陽からの光の量を調整することを特徴とする。
【００２８】
本発明の請求項１６に記載の光量調整装置は、棒状部材と、一端が前記旋回軸の他端部に固定され他端が前記棒状部材の一端部に固定されたバネ部材と、を更に備え、前記棒状部材をその軸方向を中心に回転させると、前記棒状部材の回転は前記バネ部材を介して前記旋回軸へ伝達されることを特徴とする。
【００２９】
本発明の請求項１７に記載の光量調整装置は、前記本体部材には、前記本体部材の内面から径方向内側に突出する第１規制部材と第２規制部材とが形成され、前記第１規制部材は前記遮蔽部材が前記遮蔽状態を超えて前記所定方向へ旋回するのを規制し、前記第２規制部材は前記遮蔽部材が前記開放状態を超えて前記所定方向とは反対の方向へ旋回するのを規制することを特徴とする。
【００３０】
本発明の請求項１８に記載の照明装置は、太陽からの光を導入するための採光手段と、前記採光手段からの光をその内面で反射させながら所定方向へと導く筒状の導光手段と、前記導光手段により導かれた光を屋内に照射する照射手段と、を備える採光装置において用いられる照明装置であって、外周面にねじ山が形成された円筒状のねじ部材と、前記ねじ部材の一端に装着されたソケットと、を備え、前記ソケットは電球が螺合装着されるソケット部を有し、前記ねじ部材は、前記導光手段が備える筒状部材に設けられた貫通孔を挿通して前記筒状部材の外側から内側へ延びると共に、前記ソケットが前記筒状部材の内側に位置するように前記筒状部材に支持され、前記ソケット部に螺合装着された前記電球からの光は、前記導光手段により前記所定方向とは逆の方向に導かれ、前記採光手段を介して外部へ照射されることを特徴とする。
【００３１】
本発明の請求項１９に記載の照明装置は、前記ソケットに接続されたリード線は前記ねじ部材の内部を通して前記ねじ部材の他端から外部へ延びることを特徴とする。本発明の請求項２０に記載の照明装置は、前記ソケット部は前記ソケットの両端部に形成されて一対の電球を互いに逆向きに装着し、前記一対の電球の並び方向は前記導光手段の軸方向に沿う方向であることを特徴とする。
【００３２】
本発明の請求項２０に記載の照射部材は、太陽からの光を導入するための採光手段と、前記採光手段からの光をその内面で反射させながら所定方向へと導く筒状の導光手段と、を備えた採光装置において用いられる照射手段としての照射部材であって、平板状の導光板と、前記導光板の端面に対向して設けられた照明手段とを備え、前記照明手段は複数のＬＥＤを有し、前記ＬＥＤから照射された光は、前記導光板の前記端面から前記導光板の内部に導入され、前記導光板に形成された多数の溝部により反射されて前記導光板の下面から出射され、前記導光手段により導かれた太陽からの光は、前記導光板の上面から入射して前記導光板の下面から出射されることを特徴とする。
【００３３】
本発明の請求項２１に記載の照射部材は、積層部材を更に有し、前記積層部材は、前記導光板と、前記導光板の上面に積層された反射板と、前記導光板の下面に積層された拡散板と、を備え、前記反射板の中央領域には開口部が形成され、前記開口部に透光性の保護板がはめ込まれていることを特徴とする。
【発明の効果】
【００３４】
本発明の請求項１に記載の照射装置によれば、第２開口部及び第３開口部が形成されているので、縦型方向からの光は第２開口部を介して内部に導入でき、横方向からの光は第３開口部を介して内部に導入でき、縦方向からの光と横方向からの光の何れにも対応できる。また、反射板を用いることにより、第３開口部から導入された光を反射板で反射させて拡散カバー部材へ到達させることができる。
【００３５】
本発明の請求項２に記載の照射装置によれば、導光手段からの光を第２開口部を介して導入する場合には、第１及び第２支持手段から反射板が取り外されるので、導光手段からの光は反射板にて遮られることなく拡散プレート部材へ導くことができる。
【００３６】
本発明の請求項３に記載の照射装置によれば、反射板は相互にスライド移動可能な複数の平板部材から構成されるので、平板部材をスライドさせて反射板を開閉することができ、これにより屋内へ照射される光の量を用いて調整できる。即ち、反射板を閉じると第２開口部からの光は反射板により遮られ、これにより屋内へ照射される光の量を調整できる。また、反射板を開けると反射板により反射される第３開口部からの光の量が減り、これにより屋内へ照射される光の量を調整できる。
【００３７】
本発明の請求押４に記載の照射装置によれば、第１連結部の内周面にはプレート部材が密着して取り付けられているので、虫等の異物が第２開口部を介して本体内部に侵入するのを防止できる。また、本発明の請求項５に記載の照射装置によれば、導光手段が第１連結部に連結されるので、導光手段の本体への連結を容易に行うことができる。
【００３８】
本発明の請求項６に記載の照射装置によれば、第１連結部に連結されるアタッチメントを有するので、小径の導光手段が用いられる場合には、この導光手段をアタッチメントを介して本体に連結させることができ、大径の導光手段と小径の導光手段の何れにも対応可能な照射装置を提供できる。
【００３９】
本発明の請求項７に記載の照射装置によれば、導光手段が第２連結部に連結されるので、導光手段の本体への連結を容易に行うことができる。また、本発明の請求項８に記載の照射装置によれば、長円形状の第７開口部が形成された調整部材を更に備えるので、この調整部材を用いることにより長円形状の端部を有する導光手段をも照射装置に連結させることができる。  
【００４０】
本発明の請求項９に記載の照射装置によれば、照明手段を備えるので、例えば雨天時や夜間などにおいて照射装置から照射される太陽からの光の照度が低下して屋内が暗くなったときには、照明手段からの光によって屋内を照明することができ、屋内を安定した照度で照明することができる。また、照明手段が導光板の端面に設置されるため、照明手段が邪魔にならない。
【００４１】
本発明の請求項１０に記載の照射装置によれば、第１側壁及び前記第２側壁の内側面に取り付けられた照明手段を備えるので、これによっても屋内を安定した照度で照明することができる。
【００４２】
本発明の請求項１１に記載の採光装置によれば、請求項１〜１０の何れかに記載の照射装置から構成される照射手段を備えるので、上述したのと同様の効果が得られる。
【００４３】
本発明の請求項１２に記載の採光装置によれば、導光手段は略四角筒状の接続部材を備え、接続部材には、筒状部材の他端が連結される連結開口部が形成され、連結開口部の下方には第２反射板が配設されているので、比較的高さの低い空間であっても接続部材を配置して筒状部材と連結でき、導光手段の設置の自由度を向上できる。
【００４４】
本発明の請求項１３に記載の採光装置によれば、光量調整手段を更に備え、前記光量調整手段の遮蔽部材は、旋回軸を中心に旋回させるだけで光を遮る遮蔽状態と光を通過させる開放状態とに切り替え可能とされ、簡単な構成でもって屋内に照射される光の量を調整できる。
【００４５】
本発明の請求項１４に記載の採光装置によれば、導光手段の内部に電球が設けられるので、電球からの光を導光手段により所定方向とは反対の方向に導き、採光手段を介して外部へ照射することにより、採光装置が設置された建物の外部をも照明することができる。
【００４６】
本発明の請求項１５に記載の光量調整装置によれば、遮蔽部材は、旋回軸を中心に旋回させるだけで光を遮る遮蔽状態と光を通過させる開放状態とに切り替え可能とされ、簡単な構成でもって屋内に照射される光の量を調整できる。よって、光量調整装置の製造コストを抑えることができ、ひいては採光装置全体の製造コストを抑えることができる。
【００４７】
本発明の請求項１６に記載の光量調整装置によれば、棒状部材の回転はバネ部材を介して旋回軸へ伝達されるので、旋回軸の中心軸と棒状部材の中心軸が一致していなくても、棒状部材の回転を旋回軸へ容易に伝達させることができる。
【００４８】
本発明の請求項１７に記載の光量調整装置によれば、第１及び第２規制部材によって遮蔽部材の旋回が制限されるので、遮蔽部材を確実に遮蔽状態又は開放状態に位置づけることができ、光量調整装置の使い勝手を向上できる。
【００４９】
本発明の請求項１８に記載の照明装置によれば、電球からの光は採光手段を介して外部へ照射されるため、採光装置が設置された建物の屋外をも照明することができる。また、本発明の請求項１９に記載の照明装置によれば、リード線はねじ部材の内部に配線されるので、リード線が導光手段の内部で露出することがなく、邪魔にならない。更に、本発明の請求項２０に記載の照明装置によれば、一対の電球は導光手段の軸方向に沿って並ぶため、一方の電球からの光は照射手段により屋内へ照射され、他方の電球からの光は採光手段を介して屋外へ照射され、屋内及び屋外の双方を照明することができる。
【００５０】
本発明の請求項２０に記載の照射部材によれば、太陽からの光と照明手段からの光の双方を照射できるので、例えば雨天時や夜間などにおいて照射部材から照射される太陽からの光の照度が低下して屋内が暗くなったときには、照明手段からの光によって屋内を照明することができ、屋内を安定した照度で照明することができる。また、照明手段が導光板の端面に設置されるため、照明手段が邪魔にならない。
【００５１】
本発明の請求項２１に記載の照射部材によれば、導光板の上面には反射板が積層されているので、照明手段からの光を効率良く導光板の下面側から照射できる。また、反射板の中央領域には透光性の保護板がはめ込まれているので、導光手段により導かれた太陽からの光を積層部材の厚み方向に通過させて、その下面から照射することができる。
【図面の簡単な説明】
【００５２】
【図１】本発明の実施形態に係る照射装置を示す分解斜視図。
【図２】図１に示す照射装置の本体のＩＩ―ＩＩ線断面図。
【図３】図１に示す照射装置が備える調整部材を示す斜視図。
【図４】照明手段が設けられた照射装置の断面図。
【図５】照射装置で用いられる他の照明手段を備える拡散プレート部材を示す図であって、（ａ）は分解斜視図、（ｂ）は断面図、（ｃ）は底面図。
【図６】本発明の第１の実施形態に係る採光装置を示す概略図。
【図７】図６に示す採光装置の拡大断面図。
【図８】本発明の第２の実施形態に係る採光装置を示す断面図。
【図９】本発明の第３の実施形態に係る採光装置を示す概略図。
【図１０】図９に示す採光装置を示す拡大断面図。
【図１１】図９に示す採光装置が備える連結部材の分解斜視図。
【図１２】本発明の第４の実施形態に係る採光装置を示す断面図。
【図１３】図１２に示す採光装置が備える第２連結部材の斜視図。
【図１４】本発明の実施形態に係る光量調整装置の遮蔽状態を示す斜視図。
【図１５】図１４に示す光量調整装置が備える被係止部材を下面側からみた斜視図。
【図１６】図１５に示す被係止部材に係止部材が係止した状態を示す斜視図。
【図１７】図１４に示す光量調整装置の開放状態を示す斜視図。
【図１８】図１４に示す光量調整装置を備える採光装置の一例を部分的に示す断面図。
【図１９】図１４に示す光量調整装置を備える採光装置の他の例を部分的に示す断面図。
【図２０】本発明の実施形態に係る照明装置を示す斜視図。
【図２１】図２０の照明装置が採光装置の導光手段に装着された様子を示す一部切欠き斜視図。
【発明を実施するための最良の形態】
【００５３】
以下、添付図面を参照して、本発明に従う照射装置の一実施形態について説明する。
図１〜図３を参照して、図示の照射装置１は、中空の箱状部材から構成される本体２と、本体２に対して着脱可能に連結されるアタッチメント３と、本体２に対して着脱可能に固定される連結部材２６及び調整部材５とを備える。
【００５４】
本体２、アタッチメント３、連結部材２６、及び調整部材５は、例えばプラスチック等の合成樹脂或いは金属等の難燃乃至不燃材料で形成されている。本体２は、上壁２１、左壁（第１側壁）２２、右壁（第２側壁）２３、前壁２４、及び後壁（図示せず）を備える。これら左壁２２、右壁２３、前壁２４、後壁の各々は、上壁２１の周縁部に接続されて下方に延び、左壁２２と右壁２３とは左右方向において対向し、前壁２４と後壁とは前後方向において対向している。本体２の下端には階段状に拡径された段差部２Ａが設けられ、この段差部２Ａにより第１開口部２ａが規定されている。第１開口部２ａには拡散カバー部材４が収容され、拡散カバー部材４の枠部材４６に設けられた複数のフック４７が段差部２Ａに係止されることにより、拡散カバー部材４は本体２に対して着脱可能に保持される。拡散カバー部材４の枠部材４６には拡散カバー４８がはめ込まれており、この拡散カバー４８は、上方から照射される光をその厚み方向に通過させて下方に向けて拡散照射するものである。
【００５５】
上壁２１には円形状の第２開口部２１ａが形成されると共に、第２開口部２１ａの周縁部から上方に延びる円筒状の第１連結部２１ｂが設けられている。第１連結部２１ｂの外径は、後述する採光装置において用いられる第１の導光手段の内径（例えば６００ｍｍ）に対応している。また、第１連結部２１ｂの内周面上端部には透明のプレート部材２１Ａが密着固定されている。このプレート部材２１Ａは、プラスチック等の合成樹脂、或いは耐熱強化ガラスや網入りガラス等の防火ガラスにより形成されている。更に、本体２の左壁２２には矩形状の第３開口部２２ａが形成されており、左壁２２の内面には蓋部材２７が複数の取付ネジ２７ａにより着脱可能に固定され、第３開口部２２ａを閉鎖している。
【００５６】
本体２の内部には反射板６を支持するための第１及び第２支持部材（支持手段）２８，２９が設けられている。より具体的に、第１支持部材２８は左壁２２の内面であって、第３開口部２２ａよりも上方に設けられている。この第１支持部材２８は、左壁２２の前後幅（図２の紙面垂直方向）全体に亘って延びる断面略く字型の長尺部材であって、上下方向に延びる取付部２８ａと、取付部２８ａの下端から斜め下方に延びる支持部２８ｂとから構成されている。一方、第２支持部材２９は右壁２３の内面であって、第１支持部材２８よりも下方に設けられている。この第２支持部材２９は右壁２３の前後幅全体に亘って延びる断面略く字型の長尺部材であって、上下方向に延びる取付部２９ａと、取付部２９ａの下端から斜め上方に延びる支持部２９ｂとから構成され、支持部２８ｂの上面と支持部２９ｂの上面とは実質平行とされている。
【００５７】
反射板６は矩形の平板状に形成されており、その上端部が第１支持部材２８の支持部２８ｂにより支持され、その下端部が第２支持部材２９の支持部２９ｂにより支持される。当該構成により、第１及び第２支持部材２８，２９により支持された反射板６は、第３開口部２２ａに向かって登り傾斜すると共に、その反射面（第１反射面）６ａが第３開口部２２ａと拡散カバー部材４の各々に対して斜めに対向するようになる。また、第１支持部材２８の取付部２８ａから第２支持部材２９の取付部２９ａまでの距離は、反射板６の長さより長く設定されている。従って、反射板６を図２に示す状態から矢印Ａ方向にスライドさせ、その下端部を第２支持部材２９から外して下方に揺動させることにより、反射板６を第１及び第２支持部材２８，２９から簡単に取り外すことができる。また、反射板６の上端部を第１支持部材２８の支持部２８ｂに載置し、反射板６の下端部を第２支持部材２９の支持部２９ｂよりも上方まで持ち上げ、この状態で反射板６を矢印Ａと反対の方向へスライドさせて第２支持部材２９の支持部２９ｂに載置することにより、反射板６を第１及び第２支持部材２８，２９に簡単に取り付けることができる。
【００５８】
アタッチメント３は、本体２の第１連結部２１ｂに装着されて使用されるものであって、下端に第５開口部３１ａが形成されたドーム状の拡大部３１を有する。この第５開口部３１ａの内径は、上述した第１の導光手段の内径と実質同一とされていて、本体２に形成された第１連結部２１ｂの外径よりも僅かに大きく設定されている。第５開口部３１ａを本体２の第１連結部２１ｂに覆い被せると、拡大部３１の下端が本体２の上壁２１に当接して位置決めされ、このようにして、アタッチメント３が本体２に連結される。また、拡大部３１の中央部位には第５開口部３１ａよりも小径の円形状の第６開口部３１ｂが形成されると共に、第６開口部３１ｂの周縁部から上方に延びる円筒状の第３連結部３１ｃが設けられている。この第３連結部３１ｃの外径は、上述した第１の導光手段よりも小径の第２の導光手段の内径（例えば３５０ｍｍ又は２５０ｍｍ）に対応している。
【００５９】
連結部材２６は、左壁２２の外面に固定されて使用されるものであって、左壁２２に形成された第３開口部２２ａよりも幾分大きい平板状に形成され、その中央部には第３開口部２２ａと実質同一の形状及び大きさを有する第４開口部２６ａが形成され、また第４開口部２６ａの周縁部には外方に突出する筒状の第２連結部２６ｂが形成されている。
【００６０】
調整部材５は、左壁２２の内面に固定されて使用されるものであって、左壁２２に形成された第３開口部２２ａよりも幾分大きい平板状に形成され、その中央部には第３開口部２２ａよりも幾分小さい長円形状の第７開口部５ａが形成されている。
【００６１】
このように構成された照射装置１では、導光手段からの光は、第２開口部２１ａ又は第３開口部２２ａの何れかを介して本体２の内部へ導入され、拡散カバー部材４を通して室内に拡散照射される。ここで、導光手段からの光を第２開口部２１ａを介して導入する場合には、反射板６は使用されない。一方、導光手段からの光を第３開口部２２ａを介して導入する場合には、蓋部材２７が取り外されると共に、導光手段の形状に応じて連結部材２６又は調整部材５と反射板６の各々が所定箇所に取り付けられ、導光手段からの光は反射板６により反射されて拡散カバー部材４の方向へ導かれる。詳細は後述する。
【００６２】
照射装置１に照明手段を付加することもできる。照射装置１に照明手段を付加することにより、例えば雨天時や夜間などにおいて照射装置１から照射される太陽からの光の照度が低下して屋内が暗くなったときには、照明手段からの光によって屋内を照明することができ、屋内を安定した照度で照明することができる。
【００６３】
照明手段としては、例えば図４に示す様に、１対のＬＥＤモジュール４２を用いることができる。図４に示すＬＥＤモジュール４２は、本体２の左壁２２及び右壁２３の内面であって、第３開口部２２ａよりも下方位置にそれぞれ取り付けられている。各ＬＥＤモジュール４２は、平面視三角状に突出した取付部４３を有し、この取付部４３の下面は、本体２の内方に向かって斜め上方に傾斜し、拡散カバー部材４に対して斜めに対向している。また、取付部４３の下面には複数の高輝度ＬＥＤ４４が前後方向（図３の紙面に直交する方向）に配列されている。
【００６４】
このような構成により、導光手段から導入された太陽の光及びＬＥＤモジュール４２からの光（人工光）は、拡散カバー部材４をその厚み方向に通過して室内を照明する。また、各ＬＥＤモジュール４２は取付ネジ（図示せず）等を用いて本体２へ取付可能に構成されているため、照明装置１に対して容易に後付けできる。
【００６５】
或いは、図４に示すＬＥＤモジュール４２に代えて、拡散カバー部材と一体に構成された照明手段を用いることもできる。例えば、図５に示す拡散カバー部材４Ｃは、平板状の積層部材４１と、積層部材４１の４つの端面４１ａの各々に取り付けられた４個のＬＥＤモジュール４２Ｃと、を備えるエッジライト方式のＬＥＤ面発光ユニットが、枠部材４６にはめ込まれて構成されている。（図５（ａ）及び５（ｂ）においては枠部材４６を省略して示している。）積層部材４１は、上から順に反射板１３、導光板１４、及び拡散板１５を積層させて構成されている。また、反射板１３の中央領域には開口部が形成され、この開口部に平面視円形状の透光性の保護板１６がはめ込まれている。ＬＥＤモジュール４２Ｃは、基板４５の端面（積層部材４１の端面４１ａに対向する面）に複数の高輝度ＬＥＤ４４が配列されて構成されている。
【００６６】
この拡散カバー部材４Ｃにおいては、上方から照射される導光手段からの光は積層部材４１（より具体的には保護板１６、導光板１４、及び拡散板１５）をその厚み方向に通過して、その下面から拡散照射される。このとき、太陽からの光は主に二点鎖線Ｌ１で示す範囲で拡散照射される。一方、ＬＥＤモジュール４２Ｃ（高輝度ＬＥＤ４４）から照射された水平方向の光は、端面４１ａ（より厳密には導光板１４の端面）から導光板１４内に導入され、導光板１４に形成された多数の溝（図示せず）により下方に反射されて積層部材４１（拡散板１５）の下面から拡散照射される。このとき、ＬＥＤモジュール４２Ｃからの光は反射板１３によっても下方に反射されるので、ＬＥＤモジュール４２Ｃからの光を効率良く下方に導くことができる。このとき、ＬＥＤモジュール４２Ｃからの光は主に点線Ｌ２及び点線Ｌ３で示す範囲で拡散照射される。
【００６７】
これにより、図５（ｃ）に示す様に、拡散板１５のうち、保護板１６に対応する領域Ｒ１が主に太陽光を拡散照射する太陽光発光面として機能し、反射板１３に対応する領域Ｒ２が主にＬＥＤモジュール４２Ｃからの光を拡散照射するＬＥＤ発光面として機能する。
【００６８】
拡散カバー部材４は本体２に対して着脱可能とされているため、拡散カバー部材４を拡散カバー部材４Ｃと付け替えることにより、照射装置１に容易に照明手段を付加することができる。また、ＬＥＤモジュール４２から構成された薄型の照明手段が積層部材４１の端面４１ａに設置されるため、照明手段が邪魔にならない。
【００６９】
次に、上述した照射装置１を備える採光装置の第１の実施形態について説明する。図６及び図７において、図示の採光装置７は、建物Ｈ（家屋）の屋根Ｒに設けられて太陽からの光を導入する採光手段８と、採光手段８からの光をその内面で反射させながら所定方向に導く導光手段（上述した第１の導光手段）９と、照射手段としての照射装置１とを備え、照射装置１は導光手段９からの光を屋内に照射する。本実施形態においては、図７に示すように、アタッチメント３、反射板６、及び連結部材２６、及び調整部材５は使用されず、照射装置１は、天井板Ｃに設けられた取付開口を介して拡散カバー部材４が室内空間を臨むように天井裏空間Ｓ１に設置される。なお、照射装置１の天井裏空間Ｓ１への設置は、例えば本体２の段差部２Ａに木枠Ｗを取付け、この木枠Ｗを、天井板Ｃに固定された軽天や木材の下地Ｐに固定することにより行われる。
【００７０】
採光手段８は、取付部材８１と、この取付部材８１に取り付けられるドーム部材８２と、を備えている。取付部材８１は、平板状の基台部８１ａと、基台部８１ａから上方に延びる円筒状の支持部８１ｂとから構成され、例えばガルバニウム、アルミニウム又は銅などの金属や繊維強化プラスチック（ＦＲＰ）などから形成される。支持部８１ｂの外側部には、その全周に渡って結露防止用テープ部材Ｔが取り付けられており、この結露防止用テープ部材Ｔの片面には複数の毛状体（図示せず）が密に植設されている。ドーム部材８２は略半球面状に構成され、例えば透明なアクリルやポリカーボネートなどの合成樹脂やガラスなどから形成される。ドーム部材８２の開口部には、階段状に幾分拡径された段差部８２ａが設けられている。
【００７１】
導光手段９は円筒状の筒状部材９１から構成され、この筒状部材９１の内面には、例えばアルミニウムフィルムなどの反射材を貼着する、あるいはアルミニウムの蒸着などにより構成された反射面９１ａが形成されている。筒状部材９１の一端部における外周部には、径方向外方に延びるリング状の固定部材９３が取り付けられている。この固定部材９３の外側部には、複数の空気流入用凹部（図示せず）が周方向に間隔を置いて設けられている。固定部材９３が支持部８１ｂの開口部に装着されるようにして筒状部材９１が支持部８１ｂの内部に挿入支持され、更に段差部８２ａが固定部材９３に載置固定されるようにしてドーム部材８２が支持部８１ａの開口部に取り付けられる。このように取り付けられると、ドーム部材８２の開口部と支持部８１ｂの外側部との間の隙間には結露防止用テープ部材Ｔが介在され、また複数の空気流入用凹部によって段差部８２ａと固定部材９３との間には隙間が形成されるようになり、これにより、結露防止用テープ部材Ｔの複数の毛状体の隙間及び複数の空気流入用凹部を通してドーム部材８２の内部と屋外とが連通される。
【００７２】
また、支持部８１ａの開口部に装着されたドーム部材８２の内側部には、凹状に湾曲された集光反射板８３が配設される。集光反射板８３の凹面側は、太陽光を採光するための反射面として機能し、この反射面は、例えばアルミニウムフィルムなどの反射材を貼着する、あるいはアルミニウムの蒸着などにより形成されている。この集光反射板８３の凹面側の幅方向中央部は南の方角を向くようにすることが好ましく、これにより特に日の出や日の入りなどのように太陽高度の低いときにおいて、太陽光を集光反射板８３の凹面側で受光して採光することができる。
【００７３】
また、導光手段９の筒状部材９１は、相互に回動自在に接続された一対の筒状部９２から構成されている。一方の筒状部９２をその他方の筒状部９２に対して相対的に回動させることにより、一方の筒状部９２は他方の筒状部９２に対して例えば約０度〜約４５度の角度範囲で自在に屈曲される。これにより、筒状部材９１を例えば約０度〜約４５度の角度範囲で任意の角度に自在に屈曲させることができる。
【００７４】
照射装置１の第１連結部２１ｂの外径は、筒状部材９１の他端部（下端部）の内径よりも幾分小さく設定されており、筒状部材９１の他端部を照射装置１の第１連結部２１ｂに外嵌させて、筒状部材９１の他端を本体２の上壁２１に当接させることにより、導光手段９が照射装置１に対して位置決めされて連結される。
【００７５】
このように構成された採光装置７による屋内の照明は、次のようにして行われる。ドーム部材８２を通して導入された太陽からの光は、日の出や日の入りなど太陽高度の低いときにはドーム部材８２内に設けられた集光反射板８３の凹面側で反射されて筒状部材９１の内部へと導かれ、また日中など太陽高度の高いときには支持部８１ａの開口部より筒状部材９１の内部へと導かれる。このように導かれた光は、筒状部材９１の内面を乱反射しながら所定方向（即ち、照射装置１が配設された方向）へと導かれ、筒状部材９１の他端部から出射されてプレート部材２１Ａ及び拡散カバー部材４を通して屋内に拡散照射される。
【００７６】
ここで、プレート部材２１Ａは、本体２の第１連結部２１ｂの内周面に対して密着固定されているので、仮に虫等が外部から導光手段９内へ入り込んでも、当該虫等が照射装置１内部、ひいては室内空間に入り込む恐れがない。更に、本体２及びプレート部材２１Ａをそれぞれ難燃乃至不燃材料及び防火ガラスにより形成することにより、建物Ｈにて火災が発生した際に火災や煙を遮断することができる。
【００７７】
次に、照射装置１を備える採光装置の第２の実施形態について説明する。なお、上述した採光装置７と実質同一の部材には同一の参照番号を付し、詳細な説明は省略する。
【００７８】
図８を参照して、図示の採光装置７Ａは、上述した採光装置７と略同一の構成を有するが、採光装置７の場合と比較して小径の採光手段８Ａ及び導光手段（上述した第２導光手段）９Ａを備えると共に、導光手段９Ａと照射装置１の本体２がアタッチメント３を介して連結されている点で採光装置７と異なる。即ち、一般の家屋のように空間が狭く、比較的太い径（例えば６００ｍｍ）を有する採光手段８及び／又は導光手段９を設置するのが困難な場合等においては、より小径（例えば３５０ｍｍ又は２５０ｍｍ）の採光手段８Ａ及び導光手段９Ａを用いる必要がある。このような場合には、アタッチメント３が本体２の第１連結部２１ｂに連結され、導光手段９Ａの他端部がアタッチメント３の第３連結部３１ｃに連結される。即ち、導光手段９Ａの他端部をアタッチメント３の第３連結部３１ｃに外嵌させて、導光手段９Ａの他端をアタッチメント３の拡大部３１の上面に当接させることにより、導光手段９Ａがアタッチメント３に対して位置決めされて連結される。
【００７９】
このように、導光手段９Ａと照射装置１の本体２とをアタッチメント３を介して連結することにより、照射装置１を採光装置７と採光装置７Ａとにおいて共通に利用することができる。
【００８０】
次に、照射装置１を備える採光装置の第３の実施形態について説明する。なお、上述した採光装置７，７Ａと実質同一の部材には同一の参照番号を付し、詳細な説明は省略する。
【００８１】
図９及び図１０において、図示の採光装置７Ｂは、採光手段８と、採光手段８からの光をその内面で反射させながら所定方向に導く導光手段９Ｂと、照射手段としての照射装置１とを備え、照射装置１は１階の天井板Ｃ２に設けられた取付開口を介して拡散カバー部材４が屋内空間を臨むように階床下空間Ｓ３に設置される。本実施形態においては、図１０に示すように、アタッチメント３は使用されず、反射板６が上述の様にして第１及び第２支持手段２８，２９により支持される。また、蓋部材２７は左壁２２から取り外され、本体２の内部が第３開口部２２ａを介して外部と連通している。連結部材２６は、その第４開口部２６ａが第３開口部２２ａに対応するように位置決めされ、複数の取付ネジ（図示せず）により左壁２２の外面に固定される。
【００８２】
導光手段９Ｂは、一端が採光手段８に接続された筒状部材９１Ｂと、筒状部材９１Ｂの他端及び照射装置１に接続された接続部材９７と、から構成されている。筒状部材９１Ｂは、採光手段８から屋根裏空間Ｓ１及び２階部に設けられた押し入れ空間Ｓ２を通して下方に延び、２階床Ｆに形成された貫通孔を通して階床下空間Ｓ３に至る。一方、接続部材９７は、水平方向に延びて階床下空間Ｓ３に配設されている。
【００８３】
より具体的に、筒状部材９１Ｂは、上述した一対の筒状部９２と、筒状部９２に連結された複数個の筒状部９５と、から構成されている。筒状部９５の内面には筒状部材９１と同様にして反射面が形成されている。各筒状部９５は、その一端側の外径が他端側の外径よりも幾分小さいテーパ状に形成されており、一方の筒状部９５の一端部が他方の筒状部９５の他端部を通してその内部に所定長さだけ挿入され、一方の筒状部９５の一端部と他方の筒状部９５の他端部との継ぎ目に例えばアルミニウムテープ（図示せず）等を貼着することにより両者が相互に接続される。
【００８４】
一方、接続部材９７は、全体として略四角筒状であって、断面矩形状に形成された筒状の第１及び第２接続部材９８，９９を備え、これら第１及び第２接続部材９８，９９の内面には筒状部材９１と同様にして反射面が形成されている。図１１をも参照して、第１接続部材９８は上壁９８ａと、下壁９８ｄと、一対の側壁９８ｅ，９８ｆとを有し、側壁９８ｅ及び９８ｆは、その一端側の上下幅が他端側の上下幅よりも幾分小さいテーパ状に形成されている。第１接続部材９８の他端側は矩形状に開口しており、第１接続部材９８の上壁９８ａの一端寄り部位には円形状の連結開口部９８ｂが形成されると共に、連結開口部９８ｂの周縁部から上方に延びる円筒状の接続部９８ｃが設けられている。接続部９８ｃの外径は、延長部材９５の他端の内径よりも僅かに小さく、延長部材９５の他端に挿入されて連結される。また、第１接続部材９８の内部であって、連結開口部９８ｂの下方位置には反射板５０が収容されている。この反射板５０は、照射装置１に向かって下り傾斜すると共に、その反射面（第２反射面）５０ａが斜め上方を向くように配置されている。
【００８５】
第２接続部材９９は両端開口型の筒体であって、その側壁９９ｅ，９９ｆは、第１接続部材９８の側壁９８ｅ及び９８ｆと同様に、その一端側の上下幅が他端側の上下幅よりも幾分小さいテーパ状に形成されている。このように形成された第２接続部材９９は、その一端部が第１接続部材９８の他端部を通してその内部に挿入されて連結される。このとき、第２接続部材９９の第１接続部材９８への挿入量を調整することにより、接続部材９７の全体長さを調整できる。また、第２接続部材９９の他端側は、照射装置１の左壁２２に固定された連結部材２６の第２連結部２６ｂを外嵌し、第２接続部材９９の他端が連結部材２６に当接することにより位置決めされて、照射装置１に連結される。
【００８６】
このように構成された採光装置７Ｂにおいては、ドーム部材８２を通して導入された太陽からの光は、筒状部材９１Ｂの内面を乱反射しながら所定方向（接続部材９７が配設された方向）へと導かれ、接続部材９７の内部に設置された反射板５０により反射される。反射板５０により反射された光は、接続部材９７の内面を乱反射しながら照射装置１が配設された方向へと導かれ、接続部材９７の他端側から出射され、連結部材２６に形成された第４開口部２６ａ及び左壁２２に形成された第３開口部２２ａを介して本体２の内部に導入され、反射板６により反射され、拡散カバー部材４を通して１階部の屋内に拡散照射される。
【００８７】
このように、本実施形態によれば、押し入れ空間Ｓ２及び階床下空間Ｓ３を利用して導光手段９Ｂを配置することができる。また、接続部材９７を用いて太陽からの光を水平方向に導くことにより、１階部における室内をその中央位置から照明することができる。
【００８８】
また、導光手段９Ｂからの光は、照射装置１の側面（左壁２２）に設けられた第３開口部２２ａを介して照射装置１内部に導入され、反射板６により下方に反射されるので、導光手段を水平方向から下方に約９０度湾曲させて照射装置１の上方（即ち第２開口部２１ａ）から導入する場合と比較して、より高さの低い階床下空間Ｓ３にも導光手段（接続部材）を配設することができる。
【００８９】
このように、導光手段９Ｂからの光を第３開口部２２ａから導入して反射板６で反射させることで、拡散プレート部材４を介して屋内を照射することができるので、採光装置１は採光装置７，７Ａに加えて採光装置７Ｂにおいても共通に利用することができる。
【００９０】
次に、照射装置１を備える採光装置の第４の実施形態について説明する。なお、上述した採光装置７，７Ａ,７Ｂと実質同一の部材には同一の参照番号を付し、詳細な説明は省略する。
【００９１】
図１２及び図１３において、図示の採光装置７Ｃは、上述した採光手段７Ｂと略同一であるが、連結部材２６に代えて調整部材５が用いられる。調整部材５は、その第７開口部５ａが第３開口部２２ａに対応するように位置決めされ、複数の取付ネジ（図示せず）により左壁２２の内面に固定される。  
【００９２】
導光手段９Ｃは、上述した筒状部材９１Ｂと、筒状部材９１Ｂの他端及び照射装置１に接続されて階床下空間Ｓ３に配設された接続部材９７Ｃと、から構成されている。接続部材９７Ｃは、筒状の第１接続部材９８Ｃと第２接続部材９９Ｃを備え、これら第１及び第２接続部材９８，９９の内面にはそれぞれ反射面が形成されている。
【００９３】
第１接続部材９８Ｃは、上述した筒状部材９１と同様に、断面円形状であって、相互に回動自在に接続された一対の筒状部から構成されている。一方の筒状部をその他方の筒状部９２に対して相対的に回動させることにより、一方の筒状部は他方の筒状部に対して例えば約０度〜約４５度の角度範囲で自在に屈曲される。このような構造を利用して、第１接続部材９８Ｃは全体として約９０度の角度に屈曲されている。
【００９４】
図１３を参照して、第２接続部材９９Ｃは両端開口型の筒体であって、その一端は円形状に開口すると共に、その外径は第１接続部材９８Ｃの他端の内径よりも僅かに小さく、第１接続部材９８Ｃの他端に挿入されて連結される。また、第１接続部材９８Ｃの他端は、他端側に向けてテーパ状に幾分拡径しており、第２接続部材９９Ｃの一端は、一端側に向けてテーパ状に幾分縮径しており、第２接続部材９９Ｃの第１接続部材９８Ｃへの挿入量を調整することにより、接続部材９７Ｃの全体長さを調整できる。一方、第２接続部材９９Ｃの他端は、調整部材５の第７開口部５ａに対応して長円形状に開口すると共に、その外径は第７開口部５ａの内径よりも僅かに小さく、第７開口部５ａに挿入されて連結される。
【００９５】
このように構成された採光装置７Ｃにおいては、ドーム部材８２を通して導入された太陽からの光は、筒状部材９１Ｂの内面を乱反射しながら所定方向（接続部材９７Ｃが配設された方向）へと導かれ、接続部材９７Ｃの内面を乱反射しながら照射装置１が配設された方向へと導かれ、接続部材９７Ｃの他端側から本体２の内部に導入され、反射板６により反射され、拡散カバー部材４を通して１階部の屋内に拡散照射される。よって、本実施形態においても、上述した採光装置７Ｂと同様の効果を得ることができる。
【００９６】
このように、導光手段９Ｃからの光を第３開口部２２ａから導入して反射板６で反射させることで、拡散プレート部材４を介して屋内を照射することができるので、採光装置１は採光装置７，７Ａ,７Ｂに加え、採光装置７Ｃにおいても共通に利用することができる。
【００９７】
従って、採光装置７，７Ａ，７Ｂ,７Ｃの各々に対応した異なる構成を有する複数個の採光装置を用意する必要がなく、採光装置の製造及び管理等における負担を軽減できる。
【００９８】
なお、上記実施形態における採光装置７，７Ａ，７Ｂ,７Ｃにおいて、照射手段１に上述したような照明手段を付加することができることは言うまでもない。また、この場合には、照明手段からのリード線は、本体２に形成されたリード線開口部（図示せず）を介して本体２の外方へ延出させれば良い。
【００９９】
次に、本発明の一実施形態に係る光量調整装置について添付の図面を参照して説明する。図１４〜図１７を参照して、図示の光量調整装置１００は、採光装置における導光手段によって伝達される光の量を調整するものであって、円筒状の本体部材１０１と、円盤状に形成された遮蔽部材１０２と、操作部材１０６とを備える。遮蔽部材１０２は、本体部材１０１の内部に設けられ、図１４に示す遮蔽状態と図１７に示す開放状態との間で旋回軸１０４を中心に旋回自在に構成されている。遮蔽部材１０２の両面には、例えばアルミニウムフィルムなどの反射材を貼着する、あるいはアルミニウムの蒸着などにより構成された反射面とされており、遮蔽状態においては、遮蔽部材１０２は本体部材１０１の軸方向に対して垂直の方向（図１４における水平方向）に延びて導光手段からの光を遮る一方、開放状態においては本体部材１０１の軸方向に沿って起立した状態となり、本体部材１０１の内部を開放して導光手段からの光を通過させる。
【０１００】
本実施形態においては、旋回軸１０４は一対の旋回軸１０４ａ,１０４ｂから構成されており、旋回軸１０４ａ,１０４ｂの各々は、遮蔽部材１０２の上面（又は下面）に固定されて遮蔽部材１０２の径方向に沿って延び、本体部材１０１に形成された支持孔（図示せず）に挿入されて、本体部材１０１に対して回転可能に支持されている。また、一方の旋回軸１０４ａの一端部１０５は本体部材１０１の外方へ突出している。
【０１０１】
旋回軸１０４ｂの側方には、本体部材１０１の内面から内側に突出する第１規制部材１０１ａが設けられている。また、旋回軸１０４ｂの上方には、本体部材１０１の内面から内側に突出する第２規制部材１０１ｂが設けられている。なお、旋回軸１０４ｂの近傍位置に代えて、旋回軸１０４ａの近傍位置に第１及び第２規制部材１０１ａ,１０１ｂを設けても良い。また、旋回軸１０４ａ及び１０４ｂは連続した単一の旋回軸として構成してもよい。
【０１０２】
操作部材１０６は、バネ部材１０７と棒状部材１０８とを有する。バネ部材１０７は、一端が旋回軸１０４ａの一端部１０５に固定され、その他端が棒状部材１０８の一端に固定されている。また、棒状部材１０８の他端部は略円環状に湾曲されて係止部１０９を形成している。
【０１０３】
本実施形態における光量調整装置１００は更に、棒状部材１０８の係止部１０９が係止するプレート状の被係止部材１２０を備える。被係止部材１２０には、被係止部材１２０を厚み方向に貫通する挿入孔１２０ａが形成されており、その片面（図１４における下側面）には挿入孔１２０ａを挟んで互いに対向する一対のブラケット１２１が設けられている。一対のブラケット１２１の互いに対向する対向面は、その両端部位は略平行とされ、その中央部位は互いに離隔する方向へ湾曲して形成されている。一対のブラケット１２１の両端部位における両者間の間隔は、棒状部材１０８の径よりも小さく形成されており、また一対のブラケット１２１の中央部位における両者間の間隔は、係止部１０９の最大幅よりも小さく形成される一方、棒状部材１０８の径よりも大きく形成されている。このような構成により、挿入孔１２０ａ及び一対のブラケット１２１は、棒状部材１０８を挿入支持する一方で、棒状部材１０８の係止部１０９は一対のブラケット１２１間を挿通できないようにされており、棒状部材１０８は図１６に示す様に、その係止部１０９がブラケット１２１に当接（係止）した状態で維持される。
【０１０４】
このように構成された光量調整装置１００においては、係止部１０９を僅かに下方に引いてブラケット１２１との係止を解除した後に係止部１０９を棒状部材１０８の中心軸を中心に矢印Ｂ方向に略９０度回転させると、この回転力がバネ部材１０７を介して旋回軸１０４（１０４ａ）に伝達され、これにより遮蔽部材１０２が図１４に示す水平状態（遮蔽状態）から図１７に示す開放状態へ旋回する。このとき、遮蔽部材１０２の上面が第２規制部材１０１ｂに当接することにより、遮蔽部材１０２は垂直方向に起立した状態で維持され、それ以上の旋回が阻止される。この状態で係止部１０９を解放すると、バネ部材１０７の付勢力によって棒状部材１０８は上方に引き上げられ、これにより係止部１０９がブラケット１２１と当接（係止）し、遮蔽部材１０２の開放状態が維持される。
【０１０５】
また、遮蔽部材１０２を開放状態から遮蔽状態へ変位させるには、係止部１０９を僅かに下方に引いてブラケット１２１との係止を解除した後に係止部１０９を矢印Ｂ方向とは反対の方向に略９０度回転させる。この回転力はバネ部材１０７を介して旋回軸１０４に伝達され、これにより遮蔽部材１０２が図１７に示す状態から図１４に示す状態へ旋回する。このとき、遮蔽部材１０２の上面が第１規制部材１０１ａに当接することにより、遮蔽部材１０２は水平方向に維持され、それ以上の旋回が阻止される。この状態で係止部１０９を解放すると、バネ部材１０７の付勢力によって棒状部材１０８は上方に引き上げられ、これにより係止部１０９がブラケット１２１と当接（係止）し、遮蔽部材１０２の遮蔽状態が維持される。
【０１０６】
このような光量調整装置１００を採光装置にて用いることにより、導光手段によって伝達されて屋内に照射される光の量を調整することができる。即ち、太陽からの光で屋内を照明したい場合には遮蔽部材１０２を開放状態とすればよく、また太陽からの光を遮り屋内を暗くした場合には遮蔽部材１０２を遮蔽状態とすればよい。また、本実施形態における光量調整装置１００は構造が簡単であるため、例えば電源からの電力を用いて遮蔽状態を切り替える構成のものと比較して製造コストを安く抑えることができる。
【０１０７】
このように構成された光量調整装置１００は、種々の採光装置において用いることができる。例えば図７に示す採光装置７にて光量調整装置１００を用いる場合には、図１８に示す様に、一方（図７における下側）の筒状部９２に代えて、内面に反射面が形成された一対の筒状部９２Ｄを用い、これら一対の筒状部９２Ｄの間に光量調整装置１００の本体部材１０１を接続させる。また、照射装置１の本体２の段差部２Ａには、棒状部材１０８を挿通させるための貫通孔を形成すると共に、この貫通孔と挿入孔１２０ａとが連通するように被係止部材１２０を段差部２Ａの下面に固定する。このように構成することにより採光装置７において屋内に照射される太陽からの光の量を容易に調整することができる。
【０１０８】
また、光量調整装置１００は、照射装置１を備える採光装置だけでなく、導光手段の一端に拡散プレート部材がはめ込まれた構造の採光装置に用いることも可能であって、例えば図１９に示す例では、導光手段は、拡散カバー部材４がはめ込まれた筒状部９２Ｅと、他の筒状部９２Ｆとを有し、これら筒状部９２Ｅと筒状部９２Ｆとの間に光量調整装置１００の本体部材１０１を接続させればよい。また、天井板に拡散カバー部材４を直接的に取り付け、この拡散カバー部材４に直接的に接続された導光手段において光量調整装置１００を用いる構成とすることもできる。
【０１０９】
なお、図示しないが、図８に示す採光装置７Ａにおいても図７に示す採光装置７の場合と同様にして光量調整装置１００を用いることができる。また、天井位置が高く、係止部１０９に手が届かない場合には、係止部１０９に延長部材（図示せず）を連結させれば良い。
【０１１０】
次に、本発明の一実施形態に係る照明装置について説明する。図２０を参照して、図示の照明装置２００は、外周面にねじ山が形成された円筒状のねじ部材２０１と、ねじ部材２０１に螺合した一対のナット２０２,２０３と、ねじ部材２０１の一端に羅合して回転可能に支持される横向き略Ｔ字形のソケット２０４とを備え、ソケット２０４の両端部（ねじ部材２０１の長手方向に対して垂直な方向における両端部）にはそれぞれ電球２０５の口金２０５ａが螺合装着されるソケット部２０４ａが形成されている。電球２０５としては、電球型蛍光灯やＬＥＤ電球などが使用できる。また、ソケット２０４から延びると共に電球２０５に電気的に接続される電源供給用の一対のリード線２０６及びびアース線２０８は、ねじ部材２０１の内部を通ってその他端から外方に延びている。ねじ部材２０１の他端には保護スリーブ２０７が取り付けられており、リード線２０６及びアース線２０７がねじ部材２０１と直接的に接するのを防止し、これにより摩擦等によりリード線２０６及びアース線２０７が破断等するのを防止している。
【０１１１】
照明装置２００には、更に図示しない加熱防止装置が設けられている。この加熱防止装置は、照明装置２００の温度が所定温度を超えた際に電力供給を遮断して、火災等の発生を防止するものである。加熱防止装置の構造は公知であるので詳細な説明は省略する。
【０１１２】
このように構成された照明装置２００は、採光装置の導光手段に取り付けられて使用される。図７に示す採光装置７を例に説明すると、図２１に示す様に、照明装置２００は導光手段９の筒状部材９１（筒状部９２）に支持されて取り付けられる。より具体的に、筒状部材９１に貫通孔（図示せず）を形成し、この貫通孔にねじ部材２０１を挿通させる。そして、ソケット２０４を筒状部材９１の径方向中心に位置させ、筒状部材９１の貫通孔が形成された部位を一対のナット２０２,２０３で外側と内側から挟み込むように締め付けて、照明装置２００を筒状部材９１に対して固定させる。次に、ねじ部材２０１に対してソケット２０４を回転させて、一対の電球２０５の並び方向を縦方向（筒状部材９１の軸方向）とする。
【０１１３】
このように、照明装置２００を導光手段の内部に設けると、下側の電球２０５から発せられた光は導光手段によって下方に伝達されて、照射装置１を介して屋内へ照射され、上側の電球２０５から発せられた光は導光手段によって上方に伝達されて採光手段８から外部へ照射される。これにより、建物の屋上をも照明装置２００からの光で照明することができる。よって、採光装置７を家屋の屋根に代えて、例えば屋上に駐車場が設けられたショッピングセンターやスーパーマーケット等の天井部に取り付ければ、夜間における屋上及び屋内（店内）の照明を共通の照明装置２００（採光装置）を用いて行うことができる。
【０１１４】
なお、本実施形態においては、２個の電球２０５を装着可能なソケット２０４を用いたが、１個の電球のみ装着可能なソケットを用いてもよく、この場合には電球が上方を向くように取り付けてもよく、あるいは下方を向くように取り付けても良い。また、図２１に示す形態では一対の電球２０５の並び方向を縦方向（筒状部材９１の軸方向）としたが、水平方向（筒状部材９１の径方向）としてもよい。
【０１１５】
また、この照明装置２００は、図７に示す様に照射装置１を備えた採光装置に限らず、照射装置１を備えない採光装置（例えば図１９に示す様に下端部に拡散プレート部材がはめ込まれた導光手段を備える採光装置）においても採用することができる。
【０１１６】
以上、本発明の実施形態に係る照射装置、採光装置、量調整装置、及び照明装置について添付の図面を参照して説明したが、本発明はかかる実施形態に限定されず、本発明の範囲を逸脱することなく種々の変形乃至修正が可能である。
【０１１７】
例えば、上記実施形態において、反射板６は一枚の平板部材から構成されているが、反射板６を複数枚の平板部材から構成するものとしても良い。また、反射板６を複数（例えば４枚）の平板部材から構成する場合には、これらをスライド移動可能とし、これらを自動的に又は手動でスライド開閉させて反射板全体の面積を可変とすることもできる。このようにして反射板の面積を変えることにより、反射板により反射される光量即ち室内に照射される光量を調整できる。よって、複数枚の平板部材が相互に重なるようにスライドさせると、反射板により反射される光量が減り、これによって室内の照明を落とすことができる。また、平板部材のスライド量を無段階調整することで、室内の照度も無段階で調整できる。
【０１１８】
また、上記実施形態においては、導光手段からの光を第２開口部２１ａを介して導入する場合には反射板６は取り外す構成としたが、導光手段からの光を第２開口部２１ａを介して導入する場合において、反射板を光量調整板として用いることもできる。この場合には、反射板６を複数（例えば４枚）のスライド移動可能な平板部材から構成し、これらを自動的に又は手動でスライド開閉させて反射板全体の面積を可変とすれば良い。このようにして反射板（光量調整板）の面積を変えることにより、反射板が遮る光量を調整でき、これによって室内に照射される光量を調整できる。即ち、複数の平板部材が相互に重なるようにスライドさせると、反射板が遮る光量が減り、これによって室内を照らす光量を増やすことができる。この場合においても、平板部材のスライド量を無段階調整することで、室内の照度も無段階で調整できる。
【０１１９】
反射板６の第１及び第２支持部材２８, ２９への着脱を容易にするため、反射板６に把持部を設けてもよい。更に、上記実施形態においては、支持部材２８, ２９を前後方向に延びる長尺部材から構成したが、必ずしも壁２２，２３の前後幅全体に亘って連続的に設けられる必要はなく、第１，第２支持部材２８, ２９を例えば複数個の支持部材を所定間隔で一列に配して構成してもよい。上記実施形態においては、第１及び第２支持部材２８, ２９は略く字形断面形状を有するものとしたが、反射板６を着脱可能に支持できればその形状に限定はなく、例えば略コ字形断面形状を有してもよい。
【０１２０】
上記実施形態においては、照射装置１は１個のアタッチメント３を有するが、第５開口部３１ａの径が異なる複数個のアタッチメントを備えるものとし、使用される導光手段の径に合わせて複数個のアタッチメントを使い分ける構成としても良い。或いは、照射装置１は、アタッチメント３の第３連結部３１ｃに連結可能な他のアタッチメントを備えてもよく、更に小径の導光手段を用いる場合には、アタッチメント３及び他のアタッチメントを介して導光手段と照射装置１（本体２）とを接続させる構成としても良い。
【０１２１】
照明手段に関連して、屋内の照度を検知するための照度センサ（図示せず）と、照度センサからの検知信号に基づいて複数の高輝度ＬＥＤ４４を点灯制御する点灯制御手段（図示せず）とを設けるようにしてもよい。この照度センサにより検知された屋内の照度が設定照度よりも低下すると、点灯制御手段は複数の高輝度ＬＥＤ４４を点灯させ、また、検知された屋内の照度が上記設定照度を超えると、点灯制御手段は複数の高輝度ＬＥＤ４４を消灯させる。これにより、例えば雨天時や夜間などにおいて照射装置（照射手段）１から照射される太陽からの光の照度が低下して屋内が暗くなったときには、照明手段からの光によって屋内を自動的に照明することができ、屋内を安定した照度で照明することができる。あるいは、照度センサを屋外に設置し、照度センサにより屋外の照度（太陽からの光の照度）を検知するようにしてもよい。更に、照度センサに代えて、屋内の人と照度とを検知するための人感センサを用いるようにしてもよい。この場合には、室内の照度が足りず、且つ室内に人がいる場合にのみ高輝度ＬＥＤ４４を点灯させ、照度が充分であったり、人が退出した際には、これを消灯させる。
【０１２２】
上記実施形態においては、本体２の左壁２２に形成された第２開口部２２ａ、及びこれに対応する連結部材２６に形成された第４開口部２６ａは矩形状としたが、これらを円形乃至長円形としてもよい。
【０１２３】
また、上記実施形態において、本体２は側面視矩形状としたが、側面視台形状であってもよく、或いはドーム形状であってもよい。
【０１２４】
上記実施形態においては、拡散カバー部材４Ｃを図１に示す照射装置１に取り付けて使用するものとして説明したが、本発明は係る構成に限定されず、図１に示す照射装置を備えない採光装置においてもこれを採用することができる。即ち、導光手段の一端に拡散プレート部材がはめ込まれた構造の採光装置に用いることも可能であって、例えば、図１９に示す採光装置において、拡散カバー部材４に代えて拡散カバー部材４Ｃを取り付けることもできる。或いは、天井板に拡散カバー部材４Ｃを直接的に取り付け、天井板に取り付けられた拡散カバー部材４Ｃに導光手段を接続する構成としてもよい。この場合、拡散カバー部材４Ｃが照射手段若しくは照射部材として機能する。
【０１２５】
更に、拡散カバー部材４Ｃは４個のＬＥＤモジュール４２Ｃを備える必要はなく、１個、２個、又は３個のＬＥＤモジュール４２Ｃを備えてもよい。また、反射板１３にはめ込まれる保護板１６の形状は円形状に限定されない。
【符号の説明】
【０１２６】
１  照射装置（照射手段）
２  本体
３  アタッチメント
４，４Ｃ  拡散カバー部材
５  調整部材
５ａ  第７開口部
６，５０  反射板
７，７Ａ，７Ｂ、７Ｃ  採光装置
８  採光手段
９，９Ａ，９Ｂ  導光手段
２１ａ  第２開口部
２２  左壁（第１側壁）
２２ａ  第３開口部
２３  右壁（第２側壁）
２６  連結部材
２６ａ  第４開口部
２８  第１支持部材（第１支持手段）
２９  第２支持部材（第２支持手段）
３１ａ  第５開口部
３１ｂ  第６開口部
４１  積層部材
４２，４２Ｃ  ＬＥＤモジュール（照明手段）
４４  高輝度ＬＥＤ
９１，９１Ｂ  筒状部材
９７，接続部材
９８ｂ  連結開口部
１００  光量調整装置
１０１  本体部材
１０２  遮蔽部材
１０４  旋回軸
２００  照明装置
２０１  ねじ部材
２０４  ソケット
２０５  電球
Ｈ  建物
Ｒ  屋根
Ｓ３  階床下空間
【図１】
2014049217.tif 000003
【図２】
2014049217.tif 000004
【図３】
2014049217.tif 000005
【図４】
2014049217.tif 000006
【図５】
2014049217.tif 000007
【図６】
2014049217.tif 000008
【図７】
2014049217.tif 000009
【図８】
2014049217.tif 000010
【図９】
2014049217.tif 000011
【図１０】
2014049217.tif 000012
【図１１】
2014049217.tif 000013
【図１２】
2014049217.tif 000014
【図１３】
2014049217.tif 000015
【図１４】
2014049217.tif 000016
【図１５】
2014049217.tif 000017
【図１６】
2014049217.tif 000018
【図１７】
2014049217.tif 000019
【図１８】
2014049217.tif 000020
【図１９】
2014049217.tif 000021
【図２０】
2014049217.tif 000022
【図２１】
2014049217.tif 000023